(57)【要約】【課題】スキー場等の屋外に設置するエスカレータで、利用客が長尺物を移動手摺への損傷や汚損を発生させず、かつ安全に搬送することを可能とするエスカレータ装置を提供する。【解決手段】スキー場等の屋外に設置するエスカレータ装置において、移動手摺２の上面の外側で、かつ移動手摺より高い位置に、長尺物４を摺動移動することを可能とする長尺物摺動ガイド装置２０、または長尺物４をガイドコーラ２２ａ上に置接し搬送可能とする長尺物ローラガイド２２、または長尺物４を踏み段１や移動手摺２と同期して移動する長尺物搬送帯２３ｃ上に置接して搬送可能とする長尺物搬帯装置２３を設けた構成とする。【選択図】図３
2013227101.tif 000002
【特許請求の範囲】
【請求項１】
スキー場等の屋外に設置するエスカレータ装置において、エスカレータの両側の欄干上部に設けられている移動手摺の外側で、かつ、前記移動手摺より高い位置にガイド手段を設けたことを特徴とするエスカレータ装置。
【請求項２】
請求項１に記載のエスカレータ装置において、前記ガイド手段は、エスカレータの前記移動手摺の上面の全面において前記移動手摺より高い位置に設置されていることを特徴とするエスカレータ装置。
【請求項３】
請求項１または請求項２に記載のエスカレータ装置において、前記ガイド手段は複数のガイドローラを備えていることを特徴とするエスカレータ装置。
【請求項４】
請求項１または請求項２に記載のエスカレータ装置において、前記ガイド手段は前記複数のガイドローラと、前記移動手摺と同期して移動する搬送帯と、を備えていることを特徴とするエスカレータ装置。
【発明の詳細な説明】
【技術分野】
【０００１】
本発明は、たとえばスキー場等の屋外に設置するエスカレータ装置、とくに利用客自身がスキーやスノーボードなどの長尺物をエスカレータの機器を損傷や汚損することなく、かつ安全に搬送することを可能とするエスカレータ装置に関する。
【背景技術】
【０００２】
スキー場等の屋外や半屋外に設置されたエスカレータにおいては、スキーヤーやスノーボーダー等の利用客がスキー板やスノーボード等の長尺物を持ってエスカレータを利用する場合、利用客は図６に示すように、長尺物をエスカレータの踏み段上に立て、一方の手で長尺物を保持し、他方の手で移動手摺りを把持してエスカレータを利用している。
【０００３】
しかし、図７に示すように強風が発生して長尺物に強風による力が働いた場合、利用者は長尺物を支えきれずエスカレータ上に倒してしまうという状況が発生していた。このような状況の下では、図８に示すように、利用者はエスカレータの両端の欄干上端を走行する移動手摺の上に長尺物を掛け渡して載せた状態でエスカレータを利用する状況が発生してきている。
【０００４】
このようなエスカレータの利用状況が多発した場合、利用客が雪や石、泥等が付着した長尺物を移動手摺の上に掛け渡す状況も発生し得る。この場合、本来利用客が手で把持して使用する移動手摺ベルトの化粧ゴム部分の汚損や、長尺物の置接による化粧ゴム部分の損傷が発生し、移動手摺の意匠性が低下する状況か発生し得る。
【０００５】
また、移動手摺の駆動手段には、張力方式と挟圧方式があり、特に、化粧ゴム表面を利用する駆動手段として、移動手摺りをローラで挟み込み挟圧駆動する方式のエスカレータの挟圧駆動装置は、移動手摺りの化粧ゴムが濡れた場合、挟圧駆動に必要な摩擦係数が低下し移動手摺がスリップする場合がある。移動手摺りのスリップが発生した場合は、安全装置が動作しエスカレータが停止する状況も発生し得る。
【０００６】
よって、上記のエスカレータにおける長尺物の移送状況が頻発することにより、移動手摺が汚損し移動手摺りの交換が必要となった場合はエスカレータ所有者への経済的な負担が発生し、移動手摺りのスリップが発生した場合は不特定多数の利用客が利用する公共交通手段としての安全性の低下が発生し得る。
【０００７】
ここで、長尺物をエスカレータの移動手摺りに掛け渡して載せている状況を検知して警告を行う方法として、移動手摺の外側への顔や手等の人体のはみ出しを検知し、建物の天井や梁等の下部と欄干で形成される三角部への挟まれ事故等を防止することを目的とし、レーザー光を１８０°の扇状に照射してその照射光をはみ出した人体が反射することを検知することにより人体のはみ出しを検知し、はみ出していることを警告するプザー音の発生やアナウンスを行い事故防止を図る従来技術が特許文献１に開示されている。
【０００８】
また、車椅子用エスカレータにおいて、踏み段近傍に車椅子の大きさを検査する検査手段を設け、検査手段の枠をはみ出している物の侵入を防止する従来技術が特許文献２に開示されている。
【先行技術文献】
【特許文献】
【０００９】
【特許文献１】特開２０１１−１６６６６号公報（図１）
【特許文献２】特開昭６１−１８８３８９号公報（図１）
【発明の概要】
【発明が解決しようとする課題】
【００１０】
しかしながら、レーザー光によるはみ出し物体の検知技術においては、長尺物のはみ出しを検知して警告音や警告アナウンスを発生させても、長尺物をはみ出させている利用者自身に警告した旨が伝わらない場合は、利用状況を是正されないまま利用されてしまう状況が発生し得る。
【００１１】
また、長尺物を両移動手摺りに掛け渡した状態で乗せられないように、エスカレータの乗りロの近傍に侵入防止枠を設けても、長尺物を立てた状態で防止枠を通過後、立てていた長尺物を横にして両移動手摺りに掛け渡すことは容易にできるため、防止策には成り得ていない状況であった。
【００１２】
さらに、強風の影響を受ける状況で、エスカレータの利用客が片手で長尺物を持ち、もう片方の手で移動手摺を把持する行為自体が不安全であり、長尺物への風の影響を抑えた搬送方法が必要な状況であった。
【００１３】
本発明の目的は、上記の課題を解決し、エスカレータの利用客自身が長尺物を安全に搬送することを可能とするスキー場用エスカレータ装置を提供することにある。
【課題を解決するための手段】
【００１４】
上記課題を解決するため本発明は、スキー場等の屋外に設置するエスカレータ装置において、エスカレータの両側の欄干上部に設けられている移動手摺の外側で、かつ、前記移動手摺より高い位置にガイド手段を設けたことを特徴とする。
【００１５】
また、前記ガイド手段は前記エスカレータの前記移動手摺の上面の全面を覆うように設置してもよい。
【００１６】
このように構成した本発明においては、利用客はエスカレータ用長尺物ガイド手段にスキーやスノーボード等の長尺物を載せて搬送することとなるため、移動手摺りに対して長尺物に付着した雪や泥等を直接触れさせず移送することが可能となる。
【００１７】
また、ガイド手段を、エスカレータの移動手摺上に物体を置設可能な範囲において移動手摺より高い位置に設けたことにより、移動手摺りに対する長尺物の接触を防止し、かつ長尺物が移動手摺とガイド手段の間に挟まることを防止することが可能となる。
【００１８】
また、本発明は、前記ガイド手段は複数のガイドローラを備えていることを特徴とする。
【００１９】
この発明においては、前記ガイド手段は、その上面に複数のガイドローラを所定間隔で設けられており、これらのガイドローラ上を長尺物を移送させるように構成することにより、長尺物とガイド手段との間の摺動抵抗を低減し、利用者の長尺物搬送における負担を低減することが可能となる。
【００２０】
また、本発明は、前記ガイド手段は、複数のガイドローラと、前記移動手摺と同期して移動する搬送帯とを備えていることを特徴とする。
【００２１】
この発明においては、移動手摺りの移動に合わせて移動する長尺物搬送帯を設けたことにより、長尺物をガイド手段に置接するだけで、利用者と長尺物は同期して搬送されるため、利用者は片方の手による僅かな力のみで長尺物を支え、もう一方の手で移動手摺りを把持することが可能となる。
【発明の効果】
【００２２】
上記の発明による特徴と作用により、本発明によるエスカレータ装置は、エスカレータの移動手摺の汚損や損傷を防止して移動手摺りの交換周期を延長可能とできるため、所有者の経済的負担を軽減することが可能となる。
【００２３】
また、エスカレータで長尺物を搬送する利用客に対しては、長尺物に対する風の影響を抑え、かつ利用者が長尺物を保持するために必要な力を最小限に抑えることにより、快適かつ安全にエスカレータで長尺物を搬送することが可能となる。
【図面の簡単な説明】
【００２４】
【図１】本発明の一実施形態におけるスキー場の長尺物ガイド装置のガイド手段の構成図であり、（ａ）は正面断面、（ｂ）は図１（ａ）の右側から見た図を部分的に表した図である。
【図２】本発明のー実施形態におけるスキー場の長尺物ガイド装置のエスカレータ乗降ロにおけるガイド手段と移動手摺との設置位置の関係を示す図であり、（ａ）は正面から見た図、（ｂ）は図２（ａ）の右側から見た図を部分的に表した図である。
【図３】本発明の一実施形態におけるガイドローラを備えたスキー場の長尺物ガイド装置のガイド手段の構成図であり、（ａ）は正面断面、（ｂ）は図３（ａ）の右側から見た図を部分的に表した図である。
【図４】本発明の一実施形態におけるガイドコ―ラと搬送帯を備えたスキー場の長尺物ガイド装置のガイド手段の構成図であり、（ａ）は正面断面、（ｂ）は図４（ａ）の右側から見た図を部分的に表した図である。
【図５】本発明の一実施形態におけるガイドローラと搬送帯を備えたスキー場の長尺物ガイド装置の全体構成図である。
【図６】本発明の背景技術におけるエスカレータでの直尺物搬送状況の一例を示す図である。
【図７】本発明の背景技術におけるエスカレータでの直尺物搬送状況と風との関係の一例を示す図である。
【図８】本発明の背景技術におけるエスカレータの移動手摺に直尺物を掛け渡して搬送している状況の一例を示す図である。
【発明を実施するための形態】
【００２５】
図１は、請求項１に示す発明の一実施形態を実現するための構成図を示す。本実施形態においては、エスカレータは、複数個エンドレス状に連結された踏み段１と、この踏み段１の両側に設置された欄干１０と、この欄干１０の上部１１に設けられ、踏み段１と同じ方向に移動する移動手摺２とを備えており、利用客（図示せず）は踏み段１に乗り込んで上下階間を昇降する。前記欄干１０の欄干上部１１の面上で移動手摺２の外側の位置に長尺物ガイド装置２０は設置されている。この長尺物ガイド装置２０は、長尺物摺動ガイド２１と長尺物摺動ガイド固定部２１ａにより構成されており、長尺物摺動ガイド２１は長尺物摺動ガイド固定部２１ａにより移動手摺２の移動手摺ベルト２ａの上面の高さより図１の１００（ｈ１）に示す位置に固定されている。長尺物摺動ガイド２１と移動手摺ベルト２ａの上面との高低差ｈ１は、利用客が手袋などを装着した手で移動手摺ベルト２ａを把持して利用することを想定すると、１０ｃｍ以上か望ましい。
【００２６】
次に、請求項２に示す本発明の一実施形態を図２に示す。図２はエスカレータの最上部と最下部に設けられている乗降ロにおける長尺物ガイド装置２０の長尺物摺動ガイド２１と移動手摺２との位置関係を説明する図である。図２において、移動手摺２の上面は、移動手摺２の上に何らかの物体を置くことが可能な移動手摺２の区間であり、図２に示す高さ２００（ｈ４）（エスカレータの移動手摺２の端部における屈曲形状の中心点１０ｄ）より上部と定義する。
【００２７】
ここで、図２に示すように、長尺物摺動ガイド２１は、前記屈曲形状の中心点１０ｄより上部において移動手摺２より高い位置となるように設置されているため、前記移動手摺２の上面に長尺物４を置いた場合は長尺物４は必ず長尺物摺動ガイド２１上に置接されることになり、移動手摺２には接触しない。
【００２８】
よって、図１と図２による構成とすることにより、利用客は移動手摺２に対して長尺物４による汚損や損傷を発生させることなく長尺物摺動ガイド２１上を摺動させて移送することが可能となる。また、図２による構成とすることにより、移動手摺２と長尺物摺動ガイド２１との間に長尺物４が進入できる隙間が形成されないため、長尺物４は長尺物摺動ガイド２１上に必ず導かれることとなる。よって、請求項１と請求項２による特徴により、エレベータの乗客は長尺物ガイド装置２０を備える本エスカレータを利用して長尺物４を安全に搬送することが可能となる。
【００２９】
次に、図３に請求項３に示す本発明の一実施形態を実現するための構成図を示す。請求項３の特徴を備えた長尺物ローラガイド２２は、長尺物ローラガイド２２と長尺物４との摺動抵抗を軽減することを目的としている。図３の構成においては、図１の構成における長尺物摺動ガイド２１に替えて、長尺物コーラガイド２２が設置されている。長尺物ローラガイド２２は、多数のガイドローラ２２ａとガイドローラ保持レール２２ｂとローラガイド保持レール固定部２２ｃによって構成されている。多数のガイドローラ２２ａはガイドローラ保持レール２２ｂの上部に各ガイドローラの中心軸が互いに平行になる向きに隣接して設置されている。
【００３０】
また、長尺物ローラガイド２２はローラガイド保持レール固定部２２ｃにより移動手摺２の移動手摺ベルト２ａの上面の高さより図３の１０１（ｈ２）に示す高さ位置に固定されている。長尺物ローラガイド２２と移動手摺ベルト２ａの上面との高低差ｈ２は、利用客が手袋などを装着した手で移動手摺ベルト２ａを把持して利用すると想定すると、１０ｃｍ以上が望ましい。
【００３１】
図３の構成にすることにより、利用客３は長尺物コーラガイド２２の多数のガイドローラ２２ａ上に長尺物４を載せ、ガイドローラ２２ａを転動させながら搬送する状況となるため、利用客３は請求項１と請求項２による効果に加えて、長尺物４を搬送する際の摺動走行抵抗が低減され、利用客３の搬送時の肉体的負担を軽減することが可能となる。
【００３２】
次に、図４及び図５に請求項４に示す本発明の一実施形態を実現するための構成図を示す。請求項４の特徴を備えたエスカレータ用長尺物ガイド装置（長尺物搬送装置２３）は、長尺物４をエスカレータ用長尺物ガイド装置上に置接した状態で、踏み段１や移動手摺２の動きと同期して搬送することを目的としている。
【００３３】
図４及び図５の構成においては、図１の一構成における長尺物摺動ガイド２１に替えて、長尺物搬送装置２３が設置されている。長尺物搬送装置２３は、長尺物搬送帯ガイドローラ２３ａ、長尺物搬送帯ガイド２３ｂ、長尺物搬送帯２３ｃ、長尺物搬送帯ガイド固定部２３ｄ、長尺物搬送帯駆動ローラ２３ｅ、長尺物搬送帯駆動装置２３ｆとで構成されている。多数のガイドローラ２３ａは長尺物搬送帯ガイド２３ｂの上部に各ガイドローラの中心軸が互いに平行になる向きに隣接して設置されている。長尺物搬送帯２３ｃは長尺物搬送帯ガイドローラ２３ａの上部と、長尺物搬送帯ガイドローラ２３ａの下部と長尺物搬送帯ガイド２３ｂにより形成される間隙を通り、エスカレータの最上部と最下部に設けられた長尺物搬送帯駆動コーラ２３に巻き掛けられている。また、エスカレータの最上部と最下部に設けられた長尺物搬送帯駆動ローラ２３は、それぞれの場所に設置されている長尺物搬送帯駆動装置２３ｆとチェーンやベルトなどの駆動力伝達手段２３ｇにより駆動力を与えられ、長尺物搬送帯２３ｃを踏み段１や移動手摺２の動きと同期して駆動し移動させる機能を持つ。なお、図５における長尺物搬送帯駆動装置２３ｆは移動手摺２によって駆動され、かつ長尺物搬送帯駆動装置２３ｆの内部に設けた変速手段（図示せず）によって長尺物搬送帯駆動装置２３ｆへの駆動力を発生している。
【００３４】
また、長尺物搬送装置２３は長尺物搬送帯ガイド固定部２３ｄにより移動手摺２の移動手摺ベル下２ａの上面の高さより図４の１０２（ｈ３）で示す高さ位置に固定されている。長尺物搬送装置２３と移動手摺ベルト２ａの上面との高低差ｈ３は、利用客が手袋などを装着した手で移動手摺ベルト２ａを把持して利用すると想定すると、１０ｃｍ以上が望ましい。
【００３５】
図４及び図５の構成にすることにより、利用客３は長尺物搬送装置２３の長尺物搬送帯２３ｃ上に長尺物４を載せると、長尺物４は長尺物搬送帯２３ｃの移動に伴って踏み段１や移動手摺２と同期して搬送されるため、利用客３は請求項１と請求項２による効果に加えて、長尺物４を搬送する際の保持力が低減され、利用客３の搬送時の肉体的負担をさらに軽減することが可能となる。
【符号の説明】
【００３６】
１        踏み段
２        移動手摺
２ａ      移動手摺ベルト
２ｂ      移動手摺のガイド装置
３        利用客
３ａ      利用客の片方の手
３ｂ      利用客のもう一方の一手
４        長尺物
４ａ      倒れた長尺物
５        風
１０      欄干
１０ａ    内側欄干
１０ｂ    スカートガード
１０ｃ    外側欄干
１０ｄ    エスカレータの移動手摺２の端部における屈曲形状の中心点
１１      欄干上部
２０      長尺物ガイド装置
２１      長尺物摺動ガイド
２１ａ    長尺物摺動ガイド固定部
２２      長尺物ローラガイド
２２ａ    ガイドローラ
２２ｂ    ガイドローラ保持レール
２２ｃ    ガイドローラ保持レール固定部
２３      長尺物搬送装置
２３ａ    長尺物搬送帯ガイドローラ
２３ｂ    長尺物搬送帯ガイド
２３ｃ    長尺物搬送帯
２３ｄ    長尺物搬送帯ガイド固定部
２３ｅ    長尺物搬送帯駆動ローラ
２３ｆ    長尺物搬送帯駆動装置
２３ｇ    駆動力伝達手段
５０      エスカレータフレーム
９０      インレット
１００    移動手摺りベルトと長尺物摺動ガイドとの高低差
１０１    移動手摺りベルトと長尺物回転ガイドとの高低差
１０２    移動手摺りベルトと長尺物搬送帯との高低差
【図１】
2013227101.tif 000003
【図２】
2013227101.tif 000004
【図３】
2013227101.tif 000005
【図４】
2013227101.tif 000006
【図５】
2013227101.tif 000007
【図６】
2013227101.tif 000008
【図７】
2013227101.tif 000009
【図８】
2013227101.tif 000010